(57)【特許請求の範囲】
【請求項１】
無線通信ネットワークにおける受信可能範囲の喪失回復のための方法であって、
前記無線通信ネットワークの基地局が、移動局が受信可能範囲喪失からの回復状態であることを示す値を有するビットと前記移動局を特定する移動局ＩＤとを含み、前記移動局からメッセージを受信する基地局が前記移動局に前にサービスを提供した基地局とは異なる場合に基地局ＩＤを含むメッセージを前記移動局から受信する段階と、
前記基地局ＩＤに少なくとも一部基づいて、前記移動局ＩＤと関連付けられた静的コンテキスト及び動的コンテキストの少なくとも一方が、前記移動局に前にサービスを提供した基地局に格納されているかを判断する段階と、
前記移動局の前記無線通信ネットワークへのリエントリを簡易にするべく、前記移動局と関連付けられた前記静的コンテキスト及び前記動的コンテキストの少なくとも一方が前記移動局に前にサービスを提供した前記基地局に格納されているかの判断結果に基づいて決定したリエントリ動作を示すメッセージを前記移動局に送信する段階と
を備え、
前記メッセージを前記移動局に送信する段階において送信される前記メッセージは、前記リエントリ動作が、前記移動局が前記移動局の前の自動再送要求状態（ＡＲＱ状態）を維持し、前記基地局への明示的な確認応答を使用して前記ＡＲＱ状態を更新することを要求することを含むことを示し、
前記移動局ＩＤと関連付けられた前記静的コンテキスト及び前記動的コンテキストの少なくとも一方が、前記移動局に前記前にサービスを提供した基地局に格納されていると判断された場合には、前記リエントリ動作は、完全な認証及び能力交渉を含まない、方法。
【請求項２】
前記静的コンテキスト及び前記動的コンテキストの少なくとも一方が、前記移動局に前記前にサービスを提供した基地局に格納されていないと判断された場合には、ネットワーク側にリモートに格納されている、前記移動局ＩＤと関連付けられた静的コンテキストを取得するべく、ネットワークノードに信号で通知する段階を更に備える請求項１に記載の方法。
【請求項３】
前記移動局にメッセージを送信する段階は、
前記静的コンテキスト及び前記動的コンテキストの少なくとも一方が、前記移動局に前記前にサービスを提供した基地局に格納されていないと判断された場合には、前記リエントリ動作が、媒体アクセス制御（ＭＡＣ）層データ経路の再設定、及び、認証コード交換を含む部分的な認証を含み、完全な認証及び能力交渉を含まないことを示す請求項２に記載の方法。
【請求項４】
前記前にサービスを提供した基地局によって、前記移動局の受信可能範囲喪失を検出する段階と、
前記受信可能範囲喪失の検出に基づいて、タイマを開始させる段階と、
前記移動局ＩＤと関連付けられており、前記前にサービスを提供した基地局に格納されている前記動的コンテキストを消去する段階とを更に備え、
前記動的コンテキストを消去する段階は、前記タイマが満了した後に実行される請求項１から３のいずれか一項に記載の方法。
【請求項５】
前記移動局ＩＤと関連付けられた静的コンテキストをリモートに格納するべく、ネットワークノードに信号で通知する段階を更に備え、
前記動的コンテキストを消去する段階は、前記ネットワークノードを通知する段階の後に実行される請求項４に記載の方法。
【請求項６】
前記移動局ＩＤと関連付けられた静的コンテキストをリモートに格納するべく、ネットワークノードに信号で通知する段階は、前記タイマの満了に応答して実行される請求項５に記載の方法。
【請求項７】
前記移動局から受信された前記メッセージは更に、前記基地局と前記移動局との間のセキュアな通信を簡易にするべく、暗号化ベースのメッセージ認証コード（ＣＭＡＣ）ダイジェストを含む請求項１から６のいずれか一項に記載の方法。
【請求項８】
前記ビットは、ＲＮＧ−ＲＥＱメッセージのレンジング目的指示子パラメータにおけるビットである、請求項１から７のいずれか一項に記載の方法。
【請求項９】
前記基地局は、ＩＥＥＥ８０２．１６規格又はＷｉＭＡＸ規格に準拠したプロトコルを使用して前記移動局から前記メッセージを受信する、請求項１から８のいずれか一項に記載の方法。
【請求項１０】
無線通信ネットワークにおける受信可能範囲の喪失回復のための方法であって、
移動局により、前記無線通信ネットワークの基地局へと、前記移動局が受信可能範囲喪失からの回復状態であることを示す値を有するビットと前記移動局を特定する移動局ＩＤとを含み、前記基地局が前記移動局に前にサービスを提供した基地局とは異なる場合に基地局ＩＤを含むメッセージを送信する段階と、
前記移動局の前記無線通信ネットワークへのリエントリを簡易にするべく、どのリエントリ動作を実行すべきかを示すメッセージを、前記基地局から受信する段階と
を備え、
前記基地局ＩＤは、前記移動局に関連付けられた静的コンテキスト及び動的コンテキストの少なくとも一方が、前にサービスを提供した基地局に格納されているか否かを前記基地局が判断するのを容易にし、
前記メッセージを前記基地局から受信する段階において受信される前記メッセージは、前記リエントリ動作が、前記移動局が前記移動局の前の自動再送要求状態（ＡＲＱ状態）を維持し、前記基地局への明示的な確認応答を使用して前記ＡＲＱ状態を更新することを要求することを含むことを示し、
前記移動局ＩＤと関連付けられた前記静的コンテキスト及び前記動的コンテキストの少なくとも一方が、前記移動局に前記前にサービスを提供した基地局に格納されていると判断された場合には、前記リエントリ動作は、完全な認証及び能力交渉を含まない、方法。
【請求項１１】
前記基地局から前記メッセージを受信する段階は、前記リエントリ動作が、認証コード交換を含む部分的な認証を含み、完全な認証及び能力交渉を含まないことを示す請求項１０に記載の方法。
【請求項１２】
前記基地局から前記メッセージを受信する段階は、前記リエントリ動作が、媒体アクセス制御（ＭＡＣ）層データ経路の再設定、及び、認証コード交換を含む部分的な認証を含み、完全な認証及び能力交渉を含まないことを示す請求項１０に記載の方法。
【請求項１３】
前記移動局により、前記移動局の受信可能範囲喪失を検出する段階と、
前記無線通信ネットワークへのリエントリのために前記基地局を発見するべく走査する段階と
を更に備え、
前記走査する段階は、前記メッセージを送信する段階の前に実行される請求項１０から１２のいずれか一項に記載の方法。
【請求項１４】
無線通信システムにおける前記移動局によって使用されるセキュリティコンテキストが有効であるかを、前記移動局が判断する段階を更に備え、
前記セキュリティコンテキストが無効であると判断された場合に、前記メッセージを送信する段階は、全てのセキュリティ鍵をリフレッシュするべく、新規に導出されたメッセージ認証コード及び完全な認証の要求の少なくとも一方を含む請求項１３に記載の方法。
【請求項１５】
前記移動局の前記無線通信ネットワークへのリエントリを簡易にするべく、前記基地局から受信された前記メッセージに示された前記リエントリ動作を、前記移動局が実行する段階を更に備える請求項１０から１４のいずれか一項に記載の方法。
【請求項１６】
無線通信ネットワークにおける受信可能範囲の喪失回復のためのシステムであって、
前記無線通信ネットワークの基地局を介して、前記無線通信ネットワークの移動局と通信を行うプロセッサと、
前記プロセッサに接続され、命令を格納する記憶媒体と
を備え、
前記命令が前記プロセッサによって実行されると、
前記移動局が受信可能範囲喪失からの回復状態であることを示す値を有するビットと、前記移動局を特定する移動局ＩＤとを含み、前記基地局が前記移動局に前にサービスを提供した基地局とは異なる場合に基地局ＩＤを含むメッセージを受信する段階と、
前記基地局ＩＤに少なくとも一部基づいて、前記移動局ＩＤと関連付けられた静的コンテキスト及び動的コンテキストの少なくとも一方が、前記移動局に前にサービスを提供した基地局に格納されているかを判断する段階と、
前記移動局の前記無線通信ネットワークへのリエントリを簡易にするべく、前記移動局と関連付けられた前記静的コンテキスト及び前記動的コンテキストの少なくとも一方が前記移動局に前にサービスを提供した前記基地局に格納されているかの判断結果に基づいて決定したリエントリ動作を示すメッセージを前記移動局に送信する段階と
が実行され、
前記メッセージを前記移動局に送信する段階において送信される前記メッセージは、前記リエントリ動作が、前記移動局が前記移動局の前の自動再送要求状態（ＡＲＱ状態）を維持し、前記基地局への明示的な確認応答を使用して前記ＡＲＱ状態を更新することを要求することを含むことを示し、
前記移動局ＩＤと関連付けられた前記静的コンテキスト及び前記動的コンテキストの少なくとも一方が、前記移動局に前記前にサービスを提供した基地局に格納されていると判断された場合には、前記リエントリ動作は、完全な認証及び能力交渉を含まない、システム。
【請求項１７】
前記命令は、実行されると更に、
前記移動局の前記受信可能範囲喪失の検出に基づいて、タイマを開始する段階と、
前記基地局に格納された前記静的コンテキスト及び前記動的コンテキストの少なくとも一方を消去する段階と
が実行され、
前記静的コンテキスト及び前記動的コンテキストの少なくとも一方を消去する段階は、前記タイマの満了の後に実行される請求項１６に記載のシステム。
【請求項１８】
前記移動局と関連付けられた前記静的コンテキストをリモートに格納するべくネットワークノードに信号で通知する段階は、前記タイマの満了に応答して実行される請求項１７に記載のシステム。
【請求項１９】
前記命令は実行されると更に、
前記基地局に、前記移動局に関連付けられた静的コンテキスト及び動的コンテキストの少なくとも一方を格納する段階と、
前記移動局の受信可能範囲を検出する段階と、
前記移動局と関連付けられた静的コンテキストをリモートに格納するべく、ネットワークノードに信号で通知する段階と
が実行される、請求項１６から１８のいずれか一項に記載のシステム。
【請求項２０】
前記命令は実行されると更に、
前記静的コンテキスト及び前記動的コンテキストの少なくとも一方が、前記基地局に格納されていないと判断された場合には、ネットワーク側にリモートに格納されている、前記移動局と関連付けられた静的コンテキストを取得するべく、ネットワークノードに信号で通知する段階が実行される請求項１９に記載のシステム。
【請求項２１】
前記移動局にメッセージを送信する段階は、
前記静的コンテキスト及び前記動的コンテキストの少なくとも一方が、前記基地局に格納されていないと判断された場合には、前記リエントリ動作が、媒体アクセス制御（ＭＡＣ）層データ経路の再設定、及び、認証コード交換を含む部分的な認証を含み、完全な認証及び能力交渉を含まないことを示す請求項１９に記載のシステム。
【請求項２２】
無線通信ネットワークにおける受信可能範囲の喪失回復のための装置であって、
アンテナと、
前記アンテナを介して、前記無線通信ネットワークの基地局と通信を行うプロセッサと、
前記プロセッサと接続される記憶媒体とを備え、
前記記憶媒体に格納される命令が、前記プロセッサによって実行されると、
移動局の受信可能範囲喪失状態を、前記移動局によって検出する段階と、
前記移動局によって、前記基地局に、前記移動局が受信可能範囲喪失からの回復状態であることを示す値を有するビットと前記移動局を特定する移動局ＩＤとを含み、前記移動局からメッセージを受信する基地局が前記移動局に前にサービスを提供した基地局とは異なる場合に基地局ＩＤを含むメッセージを送信する段階と、
前記移動局の前記無線通信ネットワークへのリエントリを簡易にするべく、どのリエントリ動作を実行すべきかを示すメッセージを前記基地局から受信する段階と
が実行され、
前記基地局ＩＤは、前記移動局に関連付けられた静的コンテキスト及び動的コンテキストの少なくとも一方が、前にサービスを提供した基地局に格納されているか否かを前記基地局が判断するのを容易にし、
前記メッセージを前記基地局から受信する段階において受信される前記メッセージは、前記リエントリ動作が、前記移動局が前記移動局の前の自動再送要求状態（ＡＲＱ状態）を維持し、前記基地局への明示的な確認応答を使用して前記ＡＲＱ状態を更新することを要求することを含むことを示し、
前記移動局ＩＤと関連付けられた前記静的コンテキスト及び前記動的コンテキストの少なくとも一方が、前記移動局に前記前にサービスを提供した基地局に格納されていると判断された場合には、前記リエントリ動作は、完全な認証及び能力交渉を含まない、装置。
【請求項２３】
前記基地局から前記メッセージを受信する段階は、前記リエントリ動作が、認証コード交換を含む部分的な認証を含み、完全な認証及び能力交渉を含まないことを示す請求項２２に記載の装置。
【請求項２４】
前記基地局から前記メッセージを受信する段階は、前記リエントリ動作が、媒体アクセス制御（ＭＡＣ）層データ経路の再設定、及び、認証コード交換を含む部分的な認証を含み、完全な認証及び能力交渉を含まないことを示す請求項２２又は２３に記載の装置。
【請求項２５】
前記命令は実行されると更に、
前記無線通信ネットワークへのリエントリのために、前記基地局を発見するべく走査する段階と、
無線通信システムにおける前記移動局によって使用されるセキュリティコンテキストが有効であるかを、前記移動局が判断する段階と
が実行され、
前記メッセージを送信する段階は、前記セキュリティコンテキストが無効である場合に、全てのセキュリティ鍵をリフレッシュするべく、新規に導出された暗号化ベースのメッセージ認証コード（ＣＭＡＣ）及び完全な認証の要求の少なくとも一方を含む請求項２２から２４にいずれか一項に記載の装置。
【発明の詳細な説明】
【技術分野】
【０００１】
本開示の実施形態は、概して、無線通信システムの分野に関し、より詳細には、無線通信ネットワークにおける受信可能範囲喪失の回復のための方法及びシステム構成に関する。
【背景技術】
【０００２】
ブロードバンドレートで情報の転送を提供するモバイルネットワークは、進化を続けている。このようなネットワークを、本明細書ではブロードバンド無線アクセス（ＢＷＡ）ネットワークと総称し、第３世代パートナーシッププロジェクト（３ＧＰＰ）によって、ＷｉＭＡＸフォーラムによって、又は、電気電子技術者協会（ＩＥＥＥ）の８０２．１６規格（例えば、ＩＥＥＥ８０２．１６−２００９修正）によって規定される１以上のプロトコル及びその派生プロトコルに準拠して動作するネットワークを含むが、以下に説明する実施形態はこれに限定されない。ＩＥＥＥ８０２．１６に準拠したＢＷＡネットワークは概して、Worldwide Interoperability for Microwave Accessを省略してＷｉＭＡＸネットワークと称され、ＩＥＥＥ８０２．１６規格に準拠及び相互運用のテストに合格した製品に対して認証マークが付与されている。
【０００３】
ブロードバンド無線技術では、様々な種類のデバイスを使用可能である。このようなデバイスとしては、例えば、ＢＷＡネットワークを介して通信可能に構成されたパソコン、携帯デバイス、及び、ミュージックプレイヤー、デジタルカメラ等の消費者家電が含まれる。ＷｉＭＡＸのようなＢＷＡネットワークを使用した移動局は、例えば、無線信号の受信可能範囲における喪失をはじめとする様々な要因によって、ＢＷＡネットワークとの無線リンク通信の喪失が発生する。一般的に、移動局は、無線通信ネットワークへ再び入るのに、少なくとも完全な認証と能力交渉を含む完全なネットワークエントリを実行する必要がある。
【０００４】
実施形態は、添付の図面を参照して以下の詳細な説明により理解されるであろう。説明を簡易にするために、同様な構造要素については同様な参照番号を付与している。
【０００５】
実施形態は例示を目的としており、添付の図面によって限定されない。
【図面の簡単な説明】
【０００６】
【図１】幾つかの実施形態に係るブロードバンド無線アクセス（ＢＷＡ）ネットワークの一例を概略的に示した図である。
【図２】幾つかの実施形態に係る無線通信ネットワークにおける受信可能範囲喪失回復のフローの一例を概略的に示した図である。
【図３】幾つかの実施形態に係る移動局と関連付けられた１以上のコンテキストを格納する方法を示したフロー図である。
【図４】幾つかの実施形態に係る移動局と関連付けられた１以上のコンテキストを格納する別の方法を示したフロー図である。
【図５】幾つかの実施形態に係る受信可能範囲喪失回復の方法を示したフロー図である。
【図６】幾つかの実施形態に係る受信可能範囲喪失回復の別の方法を示したフロー図である。
【図７】以下に記載する様々な実施形態を実行するのに使用されてもよいプロセッサを基本としたシステムの一例を概略的に示した図である。
【発明を実施するための形態】
【０００７】
本開示の実施形態は、無線通信ネットワークにおける受信可能範囲（coverage）喪失回復のための技術及び構成を提供する。以下の詳細な説明では、同様な構成要素には同様な参照番号が付与され、実行可能な実施形態を例示した添付の図面を参照する。その他の実施形態を利用してもよく、また、本開示の範囲内において構造的又は論理的な変更を加えることが可能であることは明らかである。したがって、以下の詳細な説明は、発明を限定すると解されるべきではなく、添付の特許請求の範囲及びその均等物によって実施形態の範囲が規定されている。
【０００８】
様々なオペレーションが複数の個別のアクション又はオペレーションとして、特許請求される特徴を最も理解し易いような態様で順に説明される。しかしながら、記載の順番は、これらのオペレーションが必ずしもこの順番に依存することを暗に意味するものではない。特に、これらのオペレーションは、明細書に示された順番で実行されない場合もある。本明細書で説明されたオペレーションは、記載された実施形態とは異なる順番で実行されてもよい。様々な追加のオペレーションが実行されてもよい、及び／又は、記載されたオペレーションが別の実施形態では省略されてもよい。
【０００９】
本開示では、"Ａ及び／又はＢ"という表現は、（Ａ）、（Ｂ）又は（Ａ及びＢ）を意味する。本開示では、"Ａ、Ｂ及び／又はＣ"という表現は、（Ａ）、（Ｂ）、（Ｃ）、（Ａ及びＢ）、（Ａ及びＣ）、（Ｂ及びＣ）又は（Ａ、Ｂ及びＣ）を意味する。
【００１０】
本明細書で使用される"一実施形態において"又は"幾つかの実施形態において"という表現は、同じ又は異なる実施形態の１以上を指している。更に、本開示の実施形態に関して使用される"備える（comprising）"、"含む（including）"、"有する（having）"等の言葉は、同義語として使用されている。
【００１１】
また、本明細書で使用されている"モジュール"という言葉は、特定用途向け集積回路（ＡＳＩＣ）、電子回路、１以上のソフトウェア又はファームウェアプログラムを実行する（共有、専用又はグループ）プロセッサ及び／又は（共有、専用又はグループ）メモリ、論理回路の組み合わせ、及び／又は、記載される機能を提供するその他の好適な構成要素の一部であること、又は、これら構成要素を含むことを意味する。
【００１２】
ＷｉＭＡＸネットワークのような無線メトロポリタンエリアネットワーク（ＷＭＡＮ）に対するブロードバンド無線アクセスに関して実施形態例が記載されるが、本開示の実施形態は、これらに限定されず、同様な利点を得られると考えられる別の種類の無線ネットワークにも適用可能である。このようなネットワークとしては、これに限定されないが、無線ローカルエリアネットワーク（ＷＬＡＮ）、無線パーソナルエリアネットワーク（ＷＰＡＮ）及び／又はセルラーネットワークのような無線広域ネットワーク（ＷＷＡＮ）等が含まれる。
【００１３】
以下の実施形態は、モバイル無線システムの送信機及び受信機を含む様々なアプリケーションにおいて使用されてもよい。本開示の実施形態の範囲に含まれる無線システムの具体的な例としては、これに限定されないが、ネットワークインターフェースカード（ＮＩＣ）、ネットワークアダプタ、基地局、アクセスポイント（ＡＰ）、ゲートウェイ、ブリッジ、ハブ及び衛星無線電話が含まれる。本開示の実施形態の範囲に含まれる無線システムの更なる例としては、衛星システム、パーソナルコミュニケーションシステム（ＰＣＳ）、双方向無線システム、全地球測位システム（ＧＰＳ）、双方向ページャ、パソコン及び関連周辺機器、パーソナルデジタルアシスタンス（ＰＤＡ）、パーソナルコンピュータアクセサリ、及び、実施形態の原理に好適に適用可能な性質を有する既存の及び将来開発されるシステムが含まれる。
【００１４】
図１は、幾つかの実施形態に係るブロードバンド無線アクセス（ＢＷＡ）根とワーク１００の一例を概略的に示した図である。ＢＷＡネットワーク１００は、ＲＡＮ２０を含む１以上の無線アクセスネットワーク（ＲＡＮ）、及び、コアネットワーク２５を有するネットワークであってもよい。
【００１５】
移動局（ＭＳ）１５は、ＲＡＮ２０において、基地局（ＢＳ）（例えば、ＢＳ４０、４２等）との無線リンクを介して、コアネットワーク２５にアクセスしてもよい。ＭＳ１５は、例えば、ＩＥＥＥ８０２．１６規格（例えば、２００９年５月１３日に承認されたＩＥＥＥ８０２．１６−２００９規格又は２０１０年４月に承認されたＩＥＥＥ８０２．１６ｍドラフト５）、又は、ネットワークワーキンググループ（ＮＷＧ）Ｒｅｌ  １．５規格又はその改変版のようなＷｉＭＡＸ規格に準拠したプロトコルを使用して、ＢＷＡネットワーク１００との動作接続を確立及び利用する局であってもよい。基地局４０、４２は、ＭＳ１５とコアネットワーク２５との間で、メッセージを送受信するように構成されていてもよい。図１には、ＭＳ１５が携帯電話として描かれているが、様々な実施形態では、ＭＳ１５は、パーソナルコンピュータ、ネットブック、ウルトラモバイルＰＣ（ＵＭＰＣ）、ハンドヘルドモバイルデバイス、ＵＩＣＣ（universal integrated circuit card）、パーソナルデジタルアシスタント（ＰＤＡ）、顧客構内設備（ＣＰＥ）、又は、ＭＰ３プレーヤ、デジタルカメラ等のその他の消費者電子機器であってもよい。
【００１６】
幾つかの実施形態では、ＲＡＮ２０を介したＭＳ１５との通信は、例えば、ＡＳＮ−ＧＷ４５のような１以上のアクセスサービスネットワークゲートウェイ（ＡＳＮ−ＧＷ）を介して提供されてもよいが、実施形態は、ネットワーク実装の特定の種類に限定されない。ＡＳＮ−ＧＷ４５（又は、ネットワークノードの別の同様な種類）は、コアネットワーク２５とＲＡＮ２０との間のインターフェースとして機能してもよい。このように、ＡＳＮ−ＧＷ４５は、複数の基地局４０、４２に通信可能に接続され、ＢＳコントローラ及び／又はモバイルスイッチングセンター（ＭＳＣ）の一種として機能し、ＲＡＮ２０に対するハンドオーバー制御及びその他の機能を提供してもよいが、実施形態はこの点に関して限定されない。ＷｉＭＡＸ設定において、ＲＡＮ２０は、ネットワークアクセスプロバイダ（ＮＡＰ）のアクセスサービスネットワーク（ＡＳＮ）を含んでもよく、コアネットワーク２５は、ネットワークサービスプロバイダ（ＮＳＰ）の接続サービスネットワーク（ＣＳＮ）を含んでもよい。
【００１７】
コアネットワーク２５は、ＭＳ１５を起動／管理する、又は、ＭＳ１５に関するその他の動作を行うためのロジック（例えば、モジュール）を含んでもよい。例えば、コアネットワーク２５は、一般的に、１以上のサーバー５０を含む。１以上のサーバーは、例えば、認証、認可及びアカウンティング（ＡＡＡ）サーバー、ＯＭＡ−ＤＭサーバー、プロビジョニングサーバー、ブーストラッピングサーバー、サブスクリプションサーバー、及び／又は、ホームエージェント（ＨＡ）を含むことができる。１以上のサーバー５０は、通信リンク８０を介して基地局４０、４２と通信可能に接続されていてもよく、それにより、ＢＷＡネットワーク１００におけるＭＳ１５の管理及び動作に関するメッセージを送受信する。１以上のサーバー５０は、オーバージエアー（ＯＴＡ）サーバーと称されてもよい。ある実施形態では、１以上のサーバー５０の異なる機能と関連付けられたロジックを組み合わせて、サーバーの数を低減させてもよく、例えば、１つの機械に組み合わせることを含む。
【００１８】
図２は、幾つかの実施形態に係る無線通信ネットワーク（例えば、ＢＷＡネットワーク１００）における受信可能範囲喪失回復のフロー２００の一例を概略的に示した図である。図１及び図２に示すように、段階２０２において、初期ネットワークエントリと関連付けられた動作が、無線通信デバイス（例えば、ＭＳ１５）によって実行され、無線ネットワーク（例えば、ＢＷＡネットワーク１００）に入る。例えば、ＭＳ１５は、ＢＷＡネットワーク１００のＮＳＰに対する受信可能エリアに入ってもよい。ＭＳ１５は、ネットワーク発見及び選択（ＮＤ＆Ｓ）に関する動作を実行してもよく、例えば、ＢＷＡネットワーク１００の送信機（例えば、ＲＡＮ２０のＢＳ４０）によって無線送信されるＮＳＰについての公告（advertisement）を走査及び検出する。ＭＳ１５は例えば、レンジング、能力交渉、認証、認可及び／又は登録を含むその他の動作を実行してもよい。
【００１９】
段階２０２における初期ネットワークエントリに関連する動作は、コアネットワーク２５との通信を含んでもよい。例えば、認証に関する動作は、基地局（例えば、ＢＳ４０）を介してＭＳ１５と無線通信を行うＯＴＡサーバー（例えば、ＡＡＡサーバー）によって実行されてもよく、例えば、拡張認証プロトコル（ＥＡＰ）を使用して実行されてもよい。幾つかの実施形態では、１以上のサーバー５０は、ＯＴＡプロビジョニングのようなＯＴＡ機能を使用しないネットワークに対する認証を実行してもよい。
【００２０】
段階２０２におけるＭＳ１５のＢＷＡネットワーク１００への初期ネットワークエントリの後、ＭＳ１５は、段階２０４において、ＢＷＡネットワーク１００及び／又はＯＴＡサーバーとのデータパスを確立するべく、インターネットプロトコル（ＩＰ）アドレスを取得してもよい。ＩＰアドレスは、例えば、ＢＷＡネットワーク１００の接続サービスネットワーク（ＣＳＮ）におけるサーバーによって、ダイナミックホストコンフィギュレーションプロトコル（ＤＨＣＰ）を使用して提供されてもよい。その他の設定及び／又はプロトコルがサポートされてもよい。段階２０４においてＩＰアドレスを取得した後、段階２０６において、ＭＳ１５は、ＢＷＡネットワーク１００に接続されてもよい。
【００２１】
段階２０８において、ＭＳ１５に通信可能範囲喪失（coverage loss）が発生する場合がある。以下に記載する実施形態では、無線通信デバイスに通信可能範囲喪失が発生した後の、無線通信デバイス（例えば、ＭＳ１５）のＢＷＡネットワーク１００へのリエントリを提供する。本明細書における（例えば、段階２０８における）通信可能範囲喪失（coverage loss）とは、無線通信デバイスが、ＢＷＡネットワーク１００との無線リンク通信を失うあらゆる状況を広く指す。実施形態では、例えば、通信可能範囲喪失が発生した後に、ＢＷＡネットワーク１００に再び入るために、無線通信デバイスが実行する動作の数を低減させてもよい。
【００２２】
ＲＡＮ２０は、段階２１０において通信可能範囲喪失を検出してもよい。例えば、所定の期間、ＭＳ１５からの無線活動が検出されない場合には、最後にサービスを提供した基地局（last-serving BS）（例えば、ＢＳ４０）は、要求されていない周期的なレンジングコマンド、要求されていない許可、又は、その他の種類の媒体アクセスコード（ＭＡＣ）メッセージを送信してもよい。ＢＳ４０が送信したメッセージに対する応答をＢＳ４０が一定期間受信しない場合には、ＢＳ４０は、段階２１０においてＭＳ１５が通信可能範囲喪失状態であると検出する。ＢＳ４０は、ＭＳ１５のネットワークへの接続を確認するその他の種類のシナリオを使用して、段階２１０における通信可能範囲喪失を検出してもよい。
【００２３】
フロー２００における次の通信可能範囲喪失の回復動作を説明する前に、ＭＳ１５に関する１以上のコンテキストについて説明する。ＭＳ１５に関連付けられた１以上のコンテキストを、ＲＡＮ２０又はコアネットワーク２５により維持及び／又は格納して、ＭＳ１５及びＢＳ４０のようなその他のＢＷＡネットワークエンティティが、ＢＷＡネットワークへのＭＳ１５のリエントリの前に実行されるべきリエントリ動作の数を０にする又は低減することを可能にするような情報を提供することにより、ＭＳ１５のＢＷＡネットワーク１００へのリエントリを容易にしてもよい。１以上のコンテキストには、静的コンテキスト及び／又は動的コンテキストが含まれてもよい。
【００２４】
静的コンテキストは一般的に、ＮＡＰドメインの異なる送信局（例えば、ＢＳ４０又はＢＳ４２）に対して有効であると考えられる。静的コンテキストは、ＭＳ１５に対するネットワークドメインアドレス指定、セキュリティコンテキスト、ページング、能力（capability）、サービスフロー及びレイヤ３（Ｌ３）設定に関連付けれられた情報を含んでもよい。様々な実施形態によれば、アドレス指定情報は、例えば、ＢＷＡネットワーク１００における移動局を一意的に特定する移動局ＩＤ（ＭＳＩＤ）、ＭＳ１５対して最後にサービスを提供した基地局（例えば、ＢＳ４０）、又は、最後のロケーション更新（ＬＵ）又はネットワークエントリ／リエントリの試みがＭＳ１５によって実行される場合の基地局を特定する基地局ＩＤ（ＢＳＩＤ）、及び／又は、ＭＳ１５のＭＡＣアドレスを含む。
【００２５】
ＭＳＩＤは、プライバシー保護のためにはＭＳ１５の４８ビットＭＡＣアドレスをハッシュした４８ビットバージョン、又は、プライバシー保護がイネーブルされない場合には４８ビットＭＡＣアドレスそのものであってもよい。一実施形態において、ＭＳＩＤは、（例えば、初期ネットワークエントリ２０２の認証の間に）ＢＳ４０とセキュリティコンテキストを確立するのに最後に使用されたＭＳＩＤであってもよい。例えば、ＭＳＩＤは、認証が行われる前に、ＭＳ１５によってＢＳ４０に提示されたＩＤであってもよい。ＢＳ４０とＭＳ１５との間で共有される認証鍵（ＡＫ）及び派生鍵のようなセキュリティ鍵を、ＭＳＩＤを使用して得てもよい。静的コンテキストは、ＭＳＩＤ及び／又はＢＳＩＤによって索引が付されてもよい。
【００２６】
様々な実施形態では、静的コンテキストのセキュリティコンテキスト情報は、マスターセッション鍵（ＭＳＫ）、ペアワイズマスター鍵（ＰＭＫ）、及び／又は、暗号化ベースのメッセージ認証コード（ＣＭＡＣ）キーカウントを含む。静的コンテキストのページング情報は、ページンググループＩＤ（ＰＧＩＤ）及び／又はコンテキスト・リテンション（ＤＣＲ）モードＩＤ（ＤＩＤ）を有する登録解除を含んでもよい。静的コンテキストの能力情報は、ＭＳ１５のハードウェア能力に関連する情報を含んでもよい。静的コンテキストのサービスフロー情報は、ＭＳ１５が契約しているサービスに関する情報を含んでもよい。Ｌ３設定情報は、ＩＰアドレス及び関連情報を含んでもよい。
【００２７】
動的コンテキストは、一般的に、ＮＡＰドメインの特定のＢＳ（例えば、ＢＳ４０）に対して有効であると考えられる。動的コンテキストは、例えば、ＡＫ及び派生鍵のような低レベルセキュリティ鍵、自動再送要求（ＡＲＱ）バッファ及び状態、又は、局ＩＤ（ＳＴＩＤ）のような無線インターフェースにおけるセル固有のＩＤに関する情報を含む。
【００２８】
ＭＳ１５と関連付けられた１以上のコンテキストは、以下に記載される様々な技術に応じて、ＲＡＮ２０（例えば、ＭＳ１５の最後のサービング基地局）又はコアネットワーク２５、又は、その両方に格納されてもよい。例えば、１以上のコンテキストの維持／格納は、ＭＳ１５がアイドルモードであるか、アクティブモードであるかに依存してもよい。簡潔に説明するため、フロー２００の段階２１０、２１２、２１４、２１６及び２１８では、接続された／動作中のＭＳ１５がアクティブモードである場合に対する１以上のコンテキストの維持／格納のみが示されている。アイドルモードにおける１以上の接続された／動作中のＭＳ１５の維持／格納については、図４を参照して説明され、様々な実施形態では、フロー２００で説明した技術を置き換える又はフロー２００で説明した技術と組み合わせることができる。
【００２９】
フロー２００の段階２１２に戻り、様々な実施形態では、最後にサービスを提供した基地局（例えば、ＢＳ４０）は、段階２１０において受信可能範囲喪失を検出したことに応答して、コンテキスト保持タイマＴ１を開始させてもよい。コンテキスト保持タイマＴ１は、最後にサービスを提供した基地局が、受信可能範囲喪失状態にあるＭＳ１５に関する１以上のコンテキストを維持する又はローカルに記憶する期間を規定する。ＭＳ１５がＴ１が満了する前にＢＷＡネットワーク１００に戻る場合に、ＢＷＡネットワーク１００へのリエントリを簡易にするべく、コンテキスト保持タイマＴ１の期間に１以上のコンテキストが最後にサービスを提供した基地局にローカルに記憶される。一実施形態において、最後にサービスを提供した基地局は、ＭＳ１５に関連付けられた静的コンテキスト及び動的コンテキストの両方をローカルに記憶又はキャッシュする。様々な実施形態において、コンテキスト保持タイマＴ１は、秒単位の期間を有するが、この点に関して実施形態は限定されない。
【００３０】
段階２１４において、コンテキスト保持タイマＴ１が満了すると、段階２１６において、最後にサービスを提供した基地局は、ＭＳ１５と関連付けられた静的コンテキストを転送し、コアネットワーク２５に格納する。例えば、最後にサービスを提供した基地局（例えば、ＢＳ４０）は、コアネットワーク２５に静的コンテキストをキャッシュするべく、ネットワークノード（例えば、ＡＳＮ−ＧＷ４５）に信号で通知してもよい。コアネットワーク２５は、静的コンテキストがコアネットワークに維持／格納される期間を示すタイマを動作させてもよい。コアネットワーク２５に記憶される静的コンテキストは、タイマが満了すると削除されてもよい。様々な実施形態では、静的コンテキストをコアネットワーク２５に格納するのに関連付けられるタイマは、１時間単位の期間を有してもよいが、実施形態はこの点に関して限定されない。
【００３１】
段階２１８において、最後にサービスを提供した基地局は、ＲＡＮ２０側にローカルに格納されたコンテキストを消去する。一実施形態において、最後にサービスを提供した基地局は、ネットワークに静的コンテキストをキャッシュするべくネットワークに通知した後で、移動局と関連付けられた動的コンテキスト及び静的コンテキストを最後にサービスを提供した基地局から消去する。上記で説明した最後にサービスを提供する基地局によって実行された動作は、最後にサービスを提供した基地局の外部に存在するＲＡＮ２０のモジュールによっても実行可能である。
【００３２】
次に、段階２０８において受信可能範囲喪失した後のＭＳ１５について説明するが、ＭＳ１５は、段階２２０において様々な技術により、受信可能範囲喪失を検出してもよい。例えば、ＭＳ１５は、無線通信ネットワークにおける通信に使用される無線チャネルを監視することにより、受信可能範囲喪失を検出してもよい。受信可能範囲喪失は、例えば、物理層（ＰＨＹ）同期、ダウンリンク（ＤＬ）同期又はアップリンク（ＵＬ）同期のような同期をＭＳ１５が失った場合に検出されてもよい。別の実施形態では、その他の原理を採用して、ＭＳ１５における受信可能範囲喪失を検出してもよい。
【００３３】
段階２１０において、最後にサービスを提供した基地局による受信可能範囲喪失検出の動作、及び、コンテキスト保持タイマＴ１は、ＭＳ１５が段階２２０において受信可能範囲喪失を検出する又は周期的なレンジングを実行するのに十分な時間を提供することにより、ＭＳ１５と最後にサービスを提供した基地局との間の非同期状態の可能性を低減させてもよい。"非同期状態"とは、最後にサービスを適用した基地局が受信可能範囲喪失を検出しているが、ＭＳ１５が受信可能範囲喪失を検出していない、又は、その反対の状態を指す。
【００３４】
受信可能範囲喪失の検出の後に、ＭＳ１５は、ＢＷＡネットワーク１００へリエントリするべく、ＲＡＮ２０（例えば、ＢＳ４０）を発見するための走査又は周期的レンジングを実行する。ＭＳ１５は、例えば、最後にサービス提供を受けた基地局（例えば、ＢＳ４０）、又は、ＢＷＡネットワーク１００の別の基地局（例えば、ＢＳ４２）を走査又は検出する。
【００３５】
ＭＳ１５は、ＭＳ１５とＢＷＡネットワーク１００との間のセキュアな通信を提供するのに使用されたセキュリティコンテキストが依然として有効であるかを判断するべく、検出された基地局と通信を行ってもよい。例えば、ＭＳ１５は、検出された基地局を介して、ＢＷＡネットワーク１００が有効であるか失効状態であるかを示すメッセージを受信してもよい。セキュリティの観点から、セキュリティコンテキストは、その他の静的コンテキストよりも短い時間の間有効であってもよい。例えば、セキュリティコンテキスト又は静的コンテキストがコアネットワーク２５において失効している場合には、ＭＳ１５がＢＷＡネットワーク１００にリエントリするのに、完全な認証を要求してもよい。別の例では、ＭＳ１５が、ＩＥＥＥ８０２．１６ｍに従って動作するＢＷＡネットワーク１００において受信可能範囲を喪失し、別のプロトコルに従って動作するＢＷＡネットワーク１００にリエントリする場合には、セキュリティコンテキストは無効となり、ＢＷＡネットワーク１００へのＭＳ１５のリエントリのために、完全な認証が実行されてもよい。セキュリティコンテキストが無効の場合、ネットワークは、ＭＳ１５のＭＳＩＤをインデックスとして保持し、ＭＳ１５がＢＷＡネットワーク１００へのリエントリを試みる際に、ＭＳＩＤを使用して、有効期限が切れていないＭＳ１５に対する別のセキュリティコンテキストを探してもよい。
【００３６】
段階２２６において、ＭＳ１５は、レンジングリクエスト（ＲＮＧ−ＲＥＱ）メッセージのようなメッセージを、検出された基地局に送信する。メッセージは、ＭＳ１５が受信可能範囲喪失の回復状態にあることを示す情報を含む。一実施形態において、メッセージは、ＭＳ１５が受信可能範囲喪失の回復状態にあることを示す受信可能範囲喪失回復ビットを含む。受信可能範囲喪失回復ビットは、例えば、ＲＮＧ−ＲＥＱメッセージのレンジング目的指示子（Ranging Purpose Indication）パラメータにおける７番目のビットであってもよい。この７番目のビットに１が設定されている場合には、ＭＳ１５は、受信可能範囲喪失回復状態であることを意味する。
【００３７】
段階２２６において、ＭＳ１５によって送信されるメッセージには更に、ＲＡＮ２０又はコアネットワーク２５に格納されており、索引されるＭＳＩＤと関連付けられているコンテキストの特定を簡易にするべく、最後に使用されたＭＳＩＤが含まれていてもよい。ＭＳが既にこのようなＩＤ割り当てを取得している場合には、別のネットワークが割り当てたＩＤが使用されてもよい。ＭＳ１５によって送信されるメッセージは更に、最後にサービス提供した（例えば、最後に関連付けられた）基地局のＢＳＩＤを含んでもよい。一実施形態において、段階２２２においてネットワーク１００へのリエントリのために検出された基地局（例えば、ＢＳ４２）が最後にサービスを提供した基地局（例えば、ＢＳ４０）とは異なる場合にのみ、ＢＳＩＤがメッセージに含まれるようにして、ＢＷＡネットワーク１００において送信される情報のオーバーヘッドを低減させてもよい。
【００３８】
ＭＳ１５によって送信されるメッセージは更に、基地局と移動局との間のセキュアな通信を提供する認証コード情報を含んでもよい。様々な実施形態において、認証コード情報は、ＣＭＡＣダイジェストを含む。鍵の使用方法は、ＩＥＥＥ８０２．１６規格に規定されているハンドオーバー（ＨＯ）リエントリスキームで使用される方法と同じであってもよい。一実施形態において、検出された基地局（例えば、ＢＳ４２）が最後にサービス提供を行った基地局（例えば、ＢＳ４０）とは異なる場合に、認証コード情報は更に、ＣＭＡＣ鍵カウントを含んでもよい。検出された基地局が、最後にサービス提供した基地局（例えば、ＢＳ４２）とは異なる場合、鍵更新（key refresh）を実行してもよい。ＭＳ１５は、コアネットワーク２５によって要求が行われた場合には、検出された基地局のＢＳＩＤを使用して、上の階層のＭＳＫ／ＰＭＫ（例えば、静的コンテキストの一部であってもよい）から、ＡＫ及びその他のＣＭＡＣ鍵を導出してもよい。
【００３９】
受信可能範囲喪失２０８の後に発生するフロー２００の動作は、図で例示されている順番と異なって発生してもよいことに注意されたい。これは、ＭＳ１５による受信可能範囲喪失の時間の長さが不確定であることに起因しており、例えば、状況に応じて数秒である場合もあるし、数時間に及ぶ場合もある。例えば、様々な実施形態によれば、段階２１２のコンテキスト保持タイマＴ１が満了する前又は後に、段階２２６においてＭＳ１５がメッセージを送信してもよい。別の例として、段階２２２で検出された基地局は、段階２１２におけるコンテキスト保持タイマＴ１の満了の前に又は後に、段階２２８において最後にサービス提供を行った基地局において１以上のコンテキストが利用可能であるかを判断してもよい。
【００４０】
段階２２８では、段階２２２で検出された基地局が、最後にサービス提供を行った基地局において１以上のコンテキスト（例えば、動的及び／又は静的コンテキスト）が利用可能であるかを判断してもよい。一実施形態において、段階２２２において検出された基地局（例えば、ＢＳ４０）が、最後にサービス提供を行った基地局（例えば、ＢＳ４０）と同じである場合には、検出された基地局は、１以上のコンテキストがローカルに有効であるか（例えば、２１８において検出されていない）を判断するべく確認を行う。検出された基地局は、検出された基地局と関連付けられた記憶媒体内の、ＭＳＩＤによって索引される１以上のコンテキストを検索することによって、１以上のコンテキストがローカルに有効であるか否かを判断してもよい。
【００４１】
別の実施形態において、段階２２２において検出された基地局（例えば、ＢＳ４２）が最後にサービス提供を行った基地局（例えば、ＢＳ４０）と異なる場合には、検出された基地局は、１以上のコンテキストが最後にサービス提供を行った基地局において有効であるかを判断するべく確認を行う。検出された基地局は、例えば、段階２２６においてＭＳ１５によって送信されたメッセージ内に提供された最後にサービス提供を行った基地局を特定するＢＳＩＤを使用して、最後にサービス提供を行った基地局との論理的リンク（例えば、Ｒ８型のインターフェースを介して）を確立することができる。検出された基地局は、検出された基地局と関連付けられた記憶媒体内の、ＭＳＩＤによって索引される１以上のコンテキストを検索することによって、１以上のコンテキストが最後にサービス提供を行った基地局において有効であるか否かを判断してもよい。
【００４２】
段階２２８において、最後にサービス提供を行った基地局において１以上のコンテキストが発見された場合には、基地局が格納している１以上のコンテキストが段階２３０で使用されて、段階２３６において送信されるＭＳ１５へのレンジング応答（ＲＮＧ−ＲＥＳＰ）メッセージのようなメッセージに、リエントリ命令に関するどのような情報を含めるかを判断してもよい。段階２２８において、最後にサービス提供を行った基地局において１以上のコンテキストが発見されなかった場合には、段階２２２で検出された基地局は、段階２３２においてネットワークノード（例えば、Ｒ６型インターフェースを介してＡＳＮ−ＧＷ４５に）に信号で通知して、段階２２６でＭＳ１５からのメッセージで送信されたＭＳＩＤ及び／又はＢＳＩＤ情報を使用して、段階２１６においてコアネットワーク２５に記憶された静的コンテキストをリクエストしてもよい。段階２３４において、ネットワークに格納されていた静的コンテキストが使用されて、段階２３０においてＭＳ１５へと送信されるメッセージに、リエントリ命令に関するどのような情報を含めるべきかを決定する。
【００４３】
段階２３６において、基地局は、ＢＷＡネットワーク１００へのＭＳ１５のリエントリを簡易にするべく、どのリエントリ動作（例えば、ＭＡＣ制御メッセージ）を実行するべきかを示したメッセージをＭＳ１５に送信する。段階２２２において検出された基地局が、段階２３０において最後にサービス提供を行った基地局に格納されている動的コンテキスト及び静的コンテキストを使用する実施形態では、段階２３６でＭＳに送信されるメッセージは、リエントリ動作が、認証コード交換を含む部分的認証を含んでいることを示す。これに加えて又はこれに替えて、段階２３６においてＭＳに送信されるメッセージは、リエントリ動作が移動局が１つ前の自動再送要求（ＡＲＱ）状態を維持することを要求するリクエストを含み、移動局は基地局に対して明示的な確認応答を使用してＡＲＱ状態を更新することを示してもよい。リエントリ動作は、ＢＷＡネットワーク１００へのＭＳ１５のリエントリに、ＭＡＣメッセージにおける即時認証コード交換（quick authentication code exchange）のみを実行することを示してもよい。このような実施形態におけるリエントリ動作は、完全な認証及び能力交渉を含まないので、ＭＳ１５は、完全な認証及び能力交渉動作を実行することなく、ＢＷＡネットワークに再び入ることが可能となる。様々な実施形態において、このようなリエントリ動作は概して、ＩＥＥＥ８０２．１６に規定されるハンドオーバープロセススキームに従ってもよい。
【００４４】
段階２２２において検出された基地局が、段階２３４においてネットワークコア２５に格納された静的コンテキストを使用する場合の実施形態では、段階２３６においてＭＳに送信されるメッセージは、リエントリ動作が、認証コード交換を含む部分的な認証、及び、ＭＡＣ層データ経路の再設定を含むことを示してもよい。すなわち、リエントリ動作は、ＢＷＡネットワーク１００へのＭＳ１５のリエントリのために、ＭＡＣメッセージにおける即時認証コード交換及びＭＡＣ層データ経路（例えば、ＳＴＩＤ、ＡＲＱバッファ等）の再設定／再スタートのみが実行されることを示していてもよい。このような実施形態におけるリエントリ動作は、完全な認証及び能力交渉を含まないので、ＭＳ１５は、完全な認証及び能力交渉動作を実行することなく、ＢＷＡネットワークに再び入ることが可能となる。様々な実施形態において、このようなリエントリ動作は概して、ＩＥＥＥ８０２．１６に規定されるアイドルモード・リエントリ・スキームに従ってもよい。
【００４５】
リエントリ動作は、１以上のＭＡＣ制御メッセージ、又は、段階２３６においてメッセージに含まれるリエントリ最適化ビットマップに、示されていてもよい。段階２３６においてＭＳに送信されるメッセージは更に、ＣＭＡＣダイジェストを含んでもよい。
【００４６】
段階２３８において、ＭＳ１５は、段階２３６において受信されたメッセージに含まれるリエントリ動作に基づいて、リエントリ動作を実行する。段階２１０において基地局が受信可能範囲喪失を検出する一方、ＭＳ１５は段階２２０において受信可能範囲喪失を検出していない（例えば、非同期状態）場合には、ＭＳは、段階２０６において、最後にサービス提供を受けた基地局と通常の接続／動作オペレーションを再開することを試みてもよい。最後にサービス提供を行った基地局は、ＢＷＡネットワーク１００へのリエントリを要求することなく、ＭＳ１５が通常のオペレーションを再開することを可能としてもよい。すなわち、このようなシナリオでは、ＭＳ１５は、段階２２６において基地局にメッセージを送信しなくてもよい。最後にサービスを提供した基地局は、ＭＳ１５に、ＰＨＹ層同期又は調整の実行のみを要求してもよい。
【００４７】
図３は、幾つかの実施形態に係る移動局と関連付けられた１以上のコンテキストを格納する方法３００を示したフロー図である。一実施形態において、受信可能範囲喪失（例えば、図２の２０８）が発生した時にアクティブモード（例えば、アイドルモードと反対のモード）である移動局に通信可能に接続された基地局（例えば、図１のＢＳ４０）によって、受信可能範囲喪失（例えば、図２の２０８）の後に方法３００が実行される。様々な実施形態において、方法３００の動作は、無線アクセスネットワークの基地局（例えば、図１−２のＲＡＮ２０）又は基地局に通信可能に接続された無線アクセスネットワークのモジュールによって実行される。
【００４８】
段階３００において、方法は、移動局と関連付けられた静的コンテキスト及び／又は動的コンテキストを基地局に格納する段階を含む。様々な実施形態において、静的コンテキスト及び動的コンテキストの両方が基地局に格納される。
【００４９】
方法３００は更に、段階３０４において、基地局により、無線ネットワークにおける移動局（例えば、図１−２のＭＳ１５）の受信可能範囲喪失を検出する段階を備える。方法３００は更に、段階３０６において、移動局の受信可能範囲喪失が検出されたことに応答して、タイマ（例えば、図２の２１２におけるコンテキスト保持タイマ）を開始させる段階を備える。方法は更に、段階３０８において、タイマが満了したことに基づいて又は応答して、移動局と関連付けられた静的コンテキストをリモートに格納（例えば、図２のコアネットワーク２５に格納）するべく、ネットワークノード（例えば、図１のＡＳＮ−ＧＷ４５）に通知する段階を備える。方法３００は更に、段階３１０において、基地局に格納されており、移動局と関連付けられている静的コンテキスト及び／又は動的コンテキストを消去する段階を備える。動的コンテキスト及び静的コンテキストは、ネットワークノードに信号で通知した後に、消去されてもよい。
【００５０】
図４は、幾つかの実施形態に係る移動局と関連付けられた１以上のコンテキストを格納する別の方法４００を示したフロー図である。一実施形態において、受信可能範囲喪失（例えば、図２の２０８）が発生した時にアイドルモード（例えば、アクティブモードと反対のモード）である移動局に通信可能に接続された基地局（例えば、図１のＢＳ４０）によって、受信可能範囲喪失（例えば、図２の２０８）の後に方法４００が実行される。様々な実施形態において、方法４００の動作は、無線アクセスネットワークの基地局（例えば、図１−２のＲＡＮ２０）又は基地局に通信可能に接続された無線アクセスネットワークのモジュールによって実行される。
【００５１】
方法４００は、段階４０２において、無線通信ネットワークにおける移動局の受信可能範囲喪失を、基地局によって検出する段階を備える。方法４００は更に、段階４０４において、移動局と関連付けられた静的コンテキストをリモートに格納するべく、ネットワークノードに信号で通知する段階を備える。静的コンテキストは、ページングのために、移動局のＭＳＩＤと関連付けられていてもよい。様々な実施形態では、段階４０４におけるネットワークノードへの通知は、段階４０２における受信可能範囲喪失の検出の前に又は後に実行されてもよい。一実施形態において、段階４０４におけるネットワークノードへの通知は、基地局が移動局がアイドルモードであると検出した場合に実行される。様々な実施形態では、段階４０４におけるネットワークノードへの通知は、段階４０２において受信可能範囲喪失が検出されたことに応答して実行されてもよい。方法４００は更に、段階４０６において、移動局の受信可能範囲喪失が検出されたことに応答して、タイマを開始させる段階を備える。方法４００は更に、段階４０８において、タイマが満了したことに応答して、（例えば、ＭＳＩＤにより）移動局と関連付けられ、基地局に格納されている動的コンテキスト及び静的コンテキストを削除する段階を備える。
【００５２】
図５は、幾つかの実施形態に係る受信可能範囲喪失回復のための方法５００のフロー図である。方法５００は、無線アクセスネットワーク（例えば、図１−２のＲＡＮ２０）の送信機／受信機（例えば、図１のＢＳ４０）又は送信機／受信機と通信可能に接続されているモジュールによって実行されてもよい。
【００５３】
方法５００は、段階５０２において、移動局（例えば、図１−２のＭＳ１５）から、移動局が受信可能範囲喪失回復状態であることを示すメッセージ（例えば、図２の２２６におけるＲＮＧ−ＲＥＱ）を受信する段階を備える。移動局が受信可能範囲喪失回復状態であることを示すのに、喪失回復ビットを使用してもよい。移動局からのメッセージは更に、移動局を特定する移動局ＩＤ（例えば、ＭＳＩＤ）を含んでもよい。メッセージを受信する基地局が、移動局に前にサービスを提供した基地局と異なる場合には、移動局からのメッセージは更に、基地局ＩＤ（例えば、ＢＳＩＤ）を含んでもよい。前にサービスを提供した局は、受信可能範囲喪失の前に、最後に移動局にサービスを提供した基地局であってもよい。段階５０４において、移動局に対して前にサービスを提供した基地局に、動的コンテキスト及び／又は静的コンテキストが格納されているかを判断するのを容易にするべく、基地局ＩＤを使用してもよい。移動局からのメッセージは更に、暗号化ベースのメッセージ認証コード（ＣＭＡＣ）ダイジェストを含んで、基地局と移動局との間のセキュアな通信を提供してもよい。
【００５４】
方法５００は更に、段階５０４において、動的コンテキスト及び／又は静的コンテキストが、移動局に前にサービスを提供した基地局（サービング基地局）に格納されているかを判断する段階を備える。段階５０２において移動局からメッセージを受信する基地局が、前にサービスを提供した基地局と同一である場合には、基地局は、移動局ＩＤを使用して、ローカル基地局の記憶装置を確認して、動的コンテキスト及び／又は静的コンテキストを捜索及び取得してもよい。段階５０２において移動局からメセージを受信する基地局が、前にサービスを提供した基地局と異なる場合には、基地局は、基地局ＩＤを使用して前にサービスを提供した基地局と論理的リンクを確立し、移動局ＩＤを使用して動的コンテキスト及び／又は静的コンテキストを捜索及び取得してもよい。
【００５５】
段階５０６において、方法は更に、基地局が、移動局に前にサービスを提供した基地局において、動的コンテキスト及び／又は静的コンテキストを見つけることができない場合には、ネットワーク側（例えば、図１−２のコアネットワーク２５）に格納され移動局ＩＤと関連付けられている静的コンテキストを取得するべく、ネットワークノードに信号で通知する段階を備える。
【００５６】
方法５００は更に、段階５０８において、どのリエントリ動作を実行するべきかを示す、メッセージ（図２の２３６におけるＭＳへのＲＮＧ−ＲＥＳＰ）を移動局に送信する段階を備える。移動局が一時的に受信可能範囲を喪失した後に、ネットワーク（例えば、ＢＷＡネットワーク１００）に迅速にリエントリできるように、移動局による初期ネットワークエントリの実行よりも実質的に少ない動作数で、リエントリ動作が行われる。段階５０８において移動局へメッセージで示されるリエントリ動作は、段階５０４において移動局に前にサービスを提供した基地局に動的コンテキスト及び／又は静的コンテキストが格納されているかを判断する段階に一部基づいていてもよい。
【００５７】
一実施形態において、移動局ＩＤと関連付けられている動的コンテキストが、移動局に前にサービスを提供した基地局に格納されていると判断された場合には、移動局へのメッセージは、リエントリ動作が（ｉ）認証コード交換を含む部分的な認証を含むことを示してもよい。リエントリ動作は、例えば、（ｉ）完全な認証、及び、（ｉｉ）能力交渉を含まない。
【００５８】
別の実施形態では、移動局ＩＤと関連付けられている動的コンテキストが、移動局に前にサービスを提供した基地局に格納されていないと判断された場合には、移動局へのメッセージは、リエントリ動作が、（ｉ）認証コード交換を含む部分的な認証、及び、（ｉｉ）ＭＡＣ層データ経路の再設定を含むことを示してもよい。リエントリ動作は、例えば、（ｉ）完全な認証、及び、（ｉｉ）能力交渉を含まない。
【００５９】
図６は、幾つかの実施形態に係る受信可能範囲喪失回復の別の方法６００を示したフロー図である。方法６００は、無線通信ネットワーク（例えば、図１のＢＷＡネットワーク１００）の移動局（例えば、図１−２のＭＳ１５）によって実行されてもよい。
【００６０】
方法６００は、段階６０２において、無線通信ネットワークにおける移動局の受信可能範囲喪失を、移動局によって検出する段階を備える。方法６００は更に、段階６０４において、無線通信ネットワークへのリエントリのために基地局（例えば、図１のＢＳ４０）を発見するべく走査する段階を備える。走査は、例えば、周期的なレンジングを含んでもよい。移動局の無線ネットワークへのリエントリのために基地局が発見された後で、移動局は、移動局と関連付けられたセキュリティコンテキストが無線通信ネットワークにおいて依然として有効であるかを判断する。セキュリティコンテキストが無効である場合には、移動局は、無線通信ネットワークのエンティティ（例えば、図１のコアネットワーク２５のＡＡＡサーバー又は図１のＢＳ４０）によって要求されるように完全な認証を実行する必要がある場合がある。移動局は、例えば、新規のメッセージ認証コードを導きだしてもよい。
【００６１】
方法６００は更に、段階６０８において、移動局により、無線通信ネットワークの基地局へと、移動局が受信可能範囲喪失回復状態であり、適用可能であれば、セキュリティ完全性保護（security integrity protection）状態であることを示す情報を含むメッセージ（例えば、図２の２２６におけるＢＳへのＲＮＧ−ＲＥＱ）を送信する段階を備える。喪失回復ビットを使用して、移動局が受信可能範囲喪失回復状態であることを示してもよい。基地局へのメッセージは更に、移動局ＩＤ（例えば、ＭＳＩＤ）を含んでもよい。基地局へのメッセージは更に、基地局ＩＤ（例えば、ＢＳＩＤ）を含んでもよい。例えば、移動局からメッセージを受信する基地局が、移動局に前にサービスを提供した基地局（例えば、最後にサービスを提供した基地局）とは異なる場合には、基地局へのメッセージは、ＢＳＩＤを含んでもよい。基地局へのメッセージは更に、（例えば、ネットワークのリクエストにより）適用可能である場合には、ＣＭＡＣダイジェストを含んでもよい。段階６０６において、セキュリティコンテキストが有効でないと判断された場合には、基地局へのメッセージは更に、全てのセキュリティ鍵をリフレッシュするべく完全な認証を要求するリクエスト及び／又は新規に導出され他メッセージ認証コードを含んでもよい。
【００６２】
方法６００は更に、段階６１０において、無線通信ネットワークへの移動局のリエントリを容易にするべく、どのリエントリ動作を実行すべきかを示すメッセージ（例えば、図２の２３６におけるＭＳへのＲＮＧ−ＲＥＳＰ）を基地局から受信する段階を備える。方法６００は更に、段階６１２において、基地局から受信されたメッセージに示されたリエントリ動作を実行する段階を備える。
【００６３】
図７は、本明細書に記載された様々な実施形態を実行するのに使用されてもよいプロセッサを基本としたシステムの一例を概略的に示した図である。プロセッサシステム２０００は、デスクトップコンピュータ、ラップトップコンピュータ、ハンドヘルドコンピュータ、タブレットコンピュータ、ＰＤＡ、サーバー、インターネット家電及び／又はその他の種類の通信デバイスであってもよい。ある実施形態において、プロセッサシステム２０００は、移動局（例えば、図１−２のＭＳ１５）、無線通信ネットワークの基地局（例えば、ＢＳ４０又は４２）として機能することができてもよく、又は、同様な機能を実行するロジックを提供してもよい。
【００６４】
図７に示されるプロセッサシステム２０００は、メモリコントローラ２０１２及び入出力（Ｉ／Ｏ）コントローラ２０１４を含むチップセット２０１０を含む。チップセット２０１０は、プロセッサ２０２０にアクセス可能又はプロセッサ２０２０によって使用されるメモリ、Ｉ／Ｏ管理機能、及び、複数の汎用及び／又は専用レジスタ、タイマ等を提供してもよい。プロセッサ２０２０は、１以上のプロセッサ、ＷＬＡＮコンポーネント、ＷＭＡＮコンポーネント、ＷＷＡＮコンポーネント、及び／又は、その他の好適な処理コンポーネントを使用して実装されてもよい。プロセッサ２０２０、第１レベル・ユニファイドキャッシュ（Ｌ１）、第２レベル・ユニファイドキャッシュ（Ｌ２）、第３レベル・ユニファイドキャッシュ（Ｌ３）、及び／又は、データを格納するその他の好適な構造を使用して実装されてもよいキャッシュ２０２２を含んでもよい。プロセッサ２０２０は、移動局又は無線ネットワークにおける１以上のＯＴＡサーバーと通信可能に構成されていてもよい。
【００６５】
メモリコントローラ２０１２は、バス２０４０を介して、揮発性メモリ２０３２及び不揮発性メモリ２０３４を含むメインメモリ２０３０に、プロセッサ２０２０が通信及びアクセスを可能とする機能を実行してもよい。図７には、バス２０４０が通信可能に様々な構成要素と互いに接続されている構成が示されているが、別の実施形態では、更なる／これに替わるインターフェースが含まれてもよい。
【００６６】
不揮発性メモリ２０３２は、同期型ダイナミックランダムアクセスメモリ（ＳＤＲＡＭ）、ダイナミックランダムアクセスメモリ（ＤＲＡＭ）、ＲＡＭＢＵＳダイナミックランダムアクセスメモリ（ＲＤＲＡＭ）及び／又はその他の種類のランダムアクセスメモリデバイスによって実装されてもよい。不揮発性メモリ２０３４は、フラッシュメモリ、リードオンリーメモリ（ＲＯＭ）、電気的消去可能プログラム可能リードオンリーメモリ（ＥＥＰＲＯＭ）、及び／又は、その他の種類のメモリデバイスを使用して実装されてもよい。
【００６７】
以下、製造物品について開示される。製造物品は、実行されると本明細書に説明した動作が発生する命令を格納するコンピュータ可読媒体を含んでもよい。コンピュータ可読媒体は、例えば、メインメモリ２０３０及び／又はマスストレージデバイス２０８０又はその他の好適な記憶媒体の構成要素を含んでもよい。
【００６８】
プロセッサシステム２０００はまた、バス２０４０に接続されたインターフェース回路２０５０を含んでもよい。インターフェース回路２０５０は、イーサーネット（登録商標）インターフェース、ユニバーサルシリアルバス（ＵＳＢ）、第３世代入出力インターフェース（３ＧＩＯ）インターフェース、及び／又は、その他の種類の好適なインターフェースのような任意の種類のインターフェース規格を使用して実装されてもよい。
【００６９】
１以上の入力デバイス２０６０をインターフェース回路２０５０に接続してもよい。入力デバイス２０６０は、個人がデータを入力し、プロセッサ２０２０に命令を入力することを可能にする。例えば、入力デバイス２０６０は、キーボード、マウス、タッチパネルディスプレイ、トラックパッド、トラックボール、アイソポイント、及び／又は、音声認識システムによって実装されてもよい。
【００７０】
１以上の出力デバイス２０７０を、インターフェース回路２０５０に接続してもよい。例えば、出力デバイス２０７０は、ディスプレイデバイス（例えば、発光ディスプレイ（ＬＥＤ）、液晶ディスプレイ（ＬＣＤ）、陰極線管（ＣＲＴ）ディスプレイ、プリンタ及び／又はスピーカ）によって実装されてもよい。インターフェース回路２０５０は、特に、グラフィックスドライバカードを含んでもよい。
【００７１】
プロセッサシステム２０００はまた、ソフトウェア及びデータを格納するための１以上のマスストレージデバイス２０８０を含んでもよい。このようなマスストレージデバイス２０８０の例としては、フロッピー（登録商標）ディスク及びドライバ、ハードディスクドライバ、コンパクトディスク及びドライバ、及び、デジタル多用途ディスク（ＤＶＤ）及びドライバが含まれる。
【００７２】
インターフェース回路２０５０はまた、ネットワークを介した外部コンピュータとのデータ交換を提供するモデム又はネットワークインターフェースカードのような通信デバイスを含んでもよい。プロセッサシステム２０００とネットワークとの間の通信リンクは、イーサーネット（登録商標）接続、デジタルサブスクライバライン（ＤＳＬ）、電話回線、携帯電話システム、同軸ケーブル等の任意の種類のネットワーク接続であってもよい。
【００７３】
幾つかの実施形態では、プロセッサシステム２０００は、ネットワークの別のデバイスへのアクセスを提供するアンテナ構造（図示せず）と接続されてもよい。ある実施形態では、アンテナ構造は、主に１方向に放射又は受信を行い（例えば、１２０度）互いに協働して接続されて実質的に全方向の受信可能範囲を提供する１以上の指向性アンテナ、又は、全方向に等しく良好に補放射及び受信する１以上の無指向性アンテナを含んでもよい。ある実施形態では、アンテナ構造は、ダイポールアンテナ、モノポールアンテナ、パッチアンテナ、ループアンテナ、マイクロストリップアンテナ、又は、ＲＦ信号のＯＴＡ送受信に好適なその他の種類のアンテナを含む、１以上の指向性及び／又は無指向性アンテナを含んでもよい。
【００７４】
入力デバイス２０６０、出力デバイス２０７０、マスストレージデバイス２０８０、及び／又は、ネットワークへのアクセスは、Ｉ／Ｏコントローラ２０１４によって制御されてもよい。特に、Ｉ／Ｏコントローラ２０１４は、プロセッサ２０２０が、入力デバイス２０６０、出力デバイス２０７０、マスストレージデバイス２０８０、及び／又は、バス２０４０及びインターフェース回路２０５０を介してネットワークと、通信を可能とする機能を実行してもよい。
【００７５】
図７に示した構成要素は、プロセッサシステム２０００内の別個のブロックとして描かれているが、これらブロックの一部によって実行される機能は、１つの半導体回路内に統合されてもよく、２つ以上の別個の集積回路を使用して実装されてもよい。例えば、メモリコントローラ２０１２及び／又はＩ／Ｏコントローラ２０１４は、チップセット２０１０内の別個のブロックとして描かれているが、メモリコントローラ２０１２及び／又はＩ／Ｏコントローラ２０１４は、１つの半導体回路内に集積されてもよい。
【００７６】
特定の実施形態が例示され、本発明を説明する目的で記載されたが、同様な目的を達成できると考えられる様々な代替の及び／又は均等物の実施形態又は実装形態を、本開示の範囲内において、示された実施形態に替えて採用することができる。本願は、本明細書に記載した実施形態のあらゆる適用又は変形を包含することを意図している。したがって、本明細書に記載された実施形態は、特許請求の範囲及びその均等物によってのみ限定されることを明白に意図している。
【図１】
0005553182.tif 000002
【図２】
0005553182.tif 000003
【図３】
0005553182.tif 000004
【図４】
0005553182.tif 000005
【図５】
0005553182.tif 000006
【図６】
0005553182.tif 000007
【図７】
0005553182.tif 000008